(57)【要約】【課題】スピーカー機能を有する内装パネルの振動が建物躯体側に伝わることを防止でき、内装パネルをブラケットに対して位置決めして強固に固定できる内装パネル装置を提供する。【解決手段】表面に化粧面を有すると共にスピーカー機能を有する内装パネル２と、建物内装面又は内装下地に取り付けられると共に内装パネル２を前記化粧面を室内側に露出させた状態で保持するブラケット４を備える。内装パネル２がブラケット４に点接触で支持される。【選択図】        図１
2010232916.tif 000002
【特許請求の範囲】
【請求項１】
表面に化粧面を有すると共にスピーカー機能を有する内装パネルと、建物内装面又は内装下地に取り付けられると共に前記内装パネルを前記化粧面を室内側に露出させた状態で保持するブラケットを備え、前記内装パネルがブラケットに点接触で支持されることを特徴とする内装パネル装置。
【請求項２】
前記内装パネルの表面にブラケットに点接触する室内側突起が設けられると共に裏面に建物内装面又は内装下地に点接触する室外側突起が設けられ、ブラケットにおいて前記室内側突起が接触する部位によって内装パネルが支持されることを特徴とする請求項１に記載の内装パネル装置。
【請求項３】
内装パネルの表面に建物内装面又は内装下地に点接触する室外側突起が設けられ、ブラケットに内装パネルの表面に点接触して内装パネルを支持する室内側突起が設けられることを特徴とする請求項１に記載の内装パネル装置。
【請求項４】
ブラケットに、内装パネルの表面に点接触して内装パネルを支持する室内側突起と、内装パネルの裏面に点接触する室外側突起とが設けられることを特徴とする請求項１に記載の内装パネル装置。
【発明の詳細な説明】
【技術分野】
【０００１】
本発明はスピーカー機能を有する内装パネル装置に関する。
【背景技術】
【０００２】
従来から、天井、壁、又は床からなる建物内装の一部をスピーカー機能を有する内装パネルで構成したものが特許文献１により知られている。該特許文献１では前記内装パネルがねじによりブラケットに取り付けられると共にブラケットがねじや釘等で内装下地に取り付けられている。
【先行技術文献】
【特許文献】
【０００３】
【特許文献１】特開２００８−２７１４３６号公報
【発明の概要】
【発明が解決しようとする課題】
【０００４】
ところで、スピーカー機能を有する内装パネルをブラケットを介して内装下地に取り付けた場合、内装パネルの発音時の振動がブラケットを介して内装下地に伝わり、建物躯体側を振動させたり、騒音を生じさせたりする恐れがある。
【０００５】
このため内装パネルを振動が伝播し難いゴムやスポンジ等の弾性体を挟み込んでブラケットに取り付けることが考えられる。しかし、この場合、内装パネルをねじ等でブラケットにしっかりと固定した際に弾性体が圧縮されて振動の伝播を防止する機能が低下する恐れがある。
【０００６】
また、内装パネルをわずかながら移動できる状態でブラケットに取り付ければ弾性体の弾性力により前記内装パネルからの振動の伝播を効果的に抑制することはできる。しかし、この場合は、内装パネルを正確に位置決めして取り付けることが難しく、また、ブラケットに対して内装パネルが移動した場合、内装パネルが内装面に対して位置ずれし、見栄えが良くない。
【０００７】
本発明は前記従来の事情に鑑みてなされたものであって、スピーカー機能を有する内装パネルの振動が建物躯体側に伝わることを防止でき、しかも内装パネルをブラケットに対して位置決めして強固に固定できる内装パネル装置を提供することを課題とする。
【課題を解決するための手段】
【０００８】
前記課題を解決するために本発明の内装パネル装置は、表面に化粧面を有すると共にスピーカー機能を有する内装パネル２と、建物内装面又は内装下地に取り付けられると共に前記内装パネル２を前記化粧面を室内側に露出させた状態で保持するブラケット４を備える。そして、前記内装パネル２がブラケット４に点接触で支持されることを特徴としている。
【０００９】
また、本発明の好ましい形態では、前記内装パネル２の表面にブラケット４に点接触する室内側突起１５が設けられると共に裏面に建物内装面又は内装下地に点接触する室外側突起１４が設けられる。そして、ブラケット４において前記室内側突起１５が接触する部位によって内装パネル２が支持される。
【００１０】
また、他の好ましい形態では、内装パネル２の表面に建物内装面又は内装下地に点接触する室外側突起１４が設けられ、ブラケット４に内装パネル２の表面に点接触して内装パネル２を支持する室内側突起１８が設けられる。
【００１１】
また、他の好ましい形態では、ブラケット４に、内装パネル２の表面に点接触して内装パネル２を支持する室内側突起１８と、内装パネル２の裏面に点接触する室外側突起２１とが設けられる。
【発明の効果】
【００１２】
本発明にあっては、ブラケットによって内装パネルを点接触で支持して、内装パネルとブラケットの接触面積を小さくすることができ、これにより内装パネルの振動が建物躯体側に伝わることを防止でき、しかも内装パネルをブラケットに対して位置決めして強固に固定できる。
【００１３】
また、内装パネルの表面にブラケットに点接触する室内側突起を設けると共に化粧面と反対側の裏面に建物内装面又は内装下地に点接触する室外側突起を設けた場合には、内装パネルを建物内装面又は内装下地とブラケットの間に挟んでより強固に固定することができる。
【００１４】
また、内装パネルの表面に建物内装面又は内装下地に点接触する室外側突起を設け、ブラケットに内装パネルの室内側の面に点接触して内装パネルを支持する室内側突起を設けた場合には、内装パネルを建物内装面又は内装下地とブラケットの間に挟んでより強固に固定することができる。
【００１５】
また、ブラケットに、内装パネルの表面に点接触して内装パネルを支持する室内側突起と、内装パネルの化粧面と反対側の裏面に点接触する室外側突起とを設けた場合には、内装パネルの両面にブラケットの室内側突起や室外側突起を点接触させた状態で強固に固定することができる。
【図面の簡単な説明】
【００１６】
【図１】第一実施形態の一例の内装パネル装置の施工状態における断面図である。
【図２】第一実施形態の他例の内装パネル装置の分解斜視図である。
【図３】第二実施形態の一例の内装パネル装置の施工状態における断面図である。
【図４】第二実施形態の他例の内装パネル装置の分解斜視図である。
【図５】図３の内装パネルの断面図である。
【図６】第三実施形態の一例の内装パネル装置の施工状態における断面図である。
【図７】第三実施形態の他例の内装パネルと保持具の分解斜視図である。
【発明を実施するための形態】
【００１７】
本発明の内装パネル装置１は、表面に化粧面を有すると共にスピーカー機能を有する内装パネル２と、天井面、壁面、又は床面からなる建物内装面、あるいは内装下地に取り付けられると共に前記内装パネル２を前記化粧面を室内側に露出させた状態で保持するブラケット４で構成されるものである。以下、添付図面に基づいて本発明の第一〜第三実施形態について順に説明する。
【００１８】
（第一実施形態）
図１及び図２に請求項１及び請求項２に対応する第一実施形態を示す。本第一実施形態の内装パネル２はブラケット４を用いて天井面３に取り付けられて天井の一部を構成するものであり、ブラケット４により天井面３と略平行に保持されるものである。
【００１９】
図５は第二実施形態における内装パネル２であるが、その基本的構成は本実施形態の内装パネル２と同じであるため、以下では同図を用いて内装パネル２の構成につき説明する。
【００２０】
図５に示すように、内装パネル２は、金属等で形成されて天井面３と略平行に配置される略矩形板状の基体６と、基体６の室内側に取り付けられる化粧板７と、化粧板７の上面に設けられる加振器８とで構成され、全体として矩形板状に形成されている。前記加振器８は基体６と接触しないよう基体６と化粧板７の間に配置される。
【００２１】
矩形状の基体６の周縁部には下方に突出する保持部９が全長に亘って一体に設けられている。該矩形枠状の保持部９の内側には矩形板状で室内側の表面が化粧面とされた化粧板７が配置され、該化粧板７の周縁部が接着等により保持部９により保持されることで、化粧板７はその周縁部のみが基体６に接触した状態で保持されている。このように基体６の室内側に取り付けられた化粧板７にて前記内装パネル２の化粧面が構成される。また、この化粧板７は前記加振器８により振動して音を発する発音部が構成され、加振器８によって化粧板７を振動させることで音楽や音声等を下方に向けて出力することができるようになっている。つまり、化粧板７はスピーカーの振動板として機能する。
【００２２】
図１に示すように内装パネル２の前記化粧板７と反対側の裏面（室外側の面）を構成する基体６の上面には室外側突起１４が複数設けられている。各室外側突起１４は室外側の先端が尖った円錐状の金属部材からなり、図１の例では基体６の上面全体に亘って多数設けられており、図２の例では基体６の上面における周縁部に亘って多数設けられている。
【００２３】
各室外側突起１４は天井面３に点接触する点接触部を構成し、内装パネル２は各室外側突起１４の先端をフラットな天井面３に点接触させた状態でブラケット４により保持される。なお、各室外側突起１４は基体６に対して一体に形成されるものであってもよいし、基体６とは別体であってもよい。また、内装パネル２の室外側の面に設けられる室外側突起１４の数及び位置は図１や図２に示すものに限られず、適宜変更可能である。
【００２４】
内装パネル２の表面（室内側の面）の一部を構成する保持部９の下面には、室内側突起１５が複数設けられている。各室内側突起１５は室内側の先端が尖った円錐状の金属部材からなり、図１のように基体６の両側縁部にのみ、あるいは図２のように基体６の下面周縁部に亘って多数設けられている。なお、各室内側突起１５は基体６と一体に形成されるものであってもよいし、基体６とは別体で基体６に取り付けられるものであってもよい。
【００２５】
ブラケット４は内装パネル２の両側縁部を保持するものであり、矩形状の内装パネル２の対向する左右二辺のうち一方を保持する保持具１０ａと他方を保持する保持具１０ｂで構成されている。
【００２６】
各保持具１０ａ、１０ｂは内装パネル２の対応する辺と略同じ前後長さを有する長尺な金具からなり、両保持具１０ａ、１０ｂは左右対称形状に形成されている。
【００２７】
各保持具１０ａ、１０ｂは、内装パネル２の対応する側端面に沿って対向配置される縦片部１１と、縦片部１１の上端部から内装パネル２とは反対側の側方に向けて一体に突出する上横片部１２と、縦片部１１の下端部から内装パネル２側の側方に向けて一体に突出する下横片部１３とで構成されている。
【００２８】
各保持具１０ａ、１０ｂの下端部に設けられた下横片部１３は内装パネル２の対応する側縁部の下方に配置される。このように配置された各下横片部１３の上面には、内装パネル２の対応する側縁部に設けられた各室内側突起１５の先端が点接触する。つまり、本実施形態では各保持具１０ａ、１０ｂの下横片部１３が内装パネル２を点接触で支持する点支持部１６を構成している。
【００２９】
なお、内装パネル２の室内側の面に設けられる室内側突起１５の数及び位置は図１や図２に示すものに限られず、室内側突起１５は少なくとも各保持具１０ａ、１０ｂの下横片部１３に対応する位置に設けてあればよい。
【００３０】
各保持具１０ａ、１０ｂの上端部に設けられた上横片部１２の上面は天井面３に当接され、各上横片部１２は複数のねじ等の固着具１７を用いて天井に固着される。これによって各保持具１０ａ、１０ｂが天井面３に取り付けられる。
【００３１】
このように各保持具１０ａ、１０ｂが天井面３に取り付けられることで、内装パネル２は図１に示すように前記各保持具１０ａ、１０ｂの下横片部１３と天井面３で上下方向に挟持された取付状態となる。
【００３２】
この取付状態では、内装パネル２の化粧面を構成する化粧板７が両保持具１０ａ、１０ｂの間から室内側に露出し、化粧板７から発せられた音は両保持具１０ａ、１０ｂの間の空所を介して下方の室内に放出される。このとき、内装パネル２の化粧面を構成する化粧板７が振動することとなるので、室内に居る人はあたかも天井面３の一部が振動して音が出力されているように感じる。
【００３３】
内装パネル装置１を天井面３に施工するには、内装パネル２を天井面３に沿って配置した後に両保持具１０ａ、１０ｂを天井面３に固着し、これによって両保持具１０ａ、１０ｂと天井面３との間に内装パネル２を挟持した前記取付状態とする。
【００３４】
以上説明した本実施形態の内装パネル装置１は、複数の室外側突起１４を天井面３に点接触させると共に、複数の室内側突起１５を各保持具１０ａ、１０ｂの下横片部１３に点接触させた状態で内装パネル２をブラケット４にて保持することができる。このため、内装パネル２の他部との接触部分を全て点接触として支持することができて、内装パネル２とブラケット４の接触面積及び内装パネル２と天井面３の接触面積を小さくすることができ、この結果、内装パネル２の振動が建物躯体側に伝わり難くなる。
【００３５】
また、このように振動の伝播を防止できるので、本実施形態のように内装パネル２を室外側突起１４及び室内側突起１５を硬質の材料で形成して、これら室外側突起１４及び室内側突起１５で内装パネル２を強固に固定することができる。
【００３６】
ここで、前記ブラケット４の各下横片部１３の上面は平坦な面であってもよいが、各下横片部１３の下面には各室内側突起１５の先端部が嵌まり込む凹部（図示せず）を設けることが好ましい。これら凹部に対応する室内側突起１５の先端部を嵌め込むことで、内装パネル２を各保持具１０ａ、１０ｂに対して水平方向に正確に位置決めして取り付けることができ、また、内装パネル２を各保持具１０ａ、１０ｂに対してより強固に固定することができる。
【００３７】
なお、前記室外側突起１４や室内側突起１５は硬質樹脂等のその他の硬質材料で形成されるものであってもよい。また、室外側突起１４や室内側突起１５は円錐形状に限られず、先端が点接触するものであれば角錘状等の先細形状のものやピン状等であってもかまわない。
【００３８】
（第二実施形態）
図３乃至図５に請求項１及び請求項３に対応する第二実施形態を示す。なお、以下の本実施形態の説明では第一実施形態と同一の構成については同一の番号を付与し、重複する説明は省略する。
【００３９】
本第二実施形態では、内装パネル２を点接触で支持する点支持部１６として、ブラケット４に内装パネル２の表面（下面）に点接触する室内側突起１８が設けられている。
【００４０】
内装パネル２の裏面（上面）には第一実施形態と同様に室外側突起１４が設けられており、図３の例では図１の例と同様に室外側突起１４が基体６の上面全体に亘って多数設けられており、図４の例では図２の例と同様に室外側突起１４が基体６の上面における周縁部に亘って多数設けられている。
【００４１】
一方、内装パネル２の下面はフラットな面となり、第一実施形態の室内側突起１５は設けられていない。
【００４２】
ブラケット４の各保持具１０ａ、１０ｂの下横片部１３の上面には室内側突起１８が設けられている。
【００４３】
各室内側突起１８は室外側の先端が尖った円錐状の金属部材からなり、図３や図４のように各下横片部１３に前後に複数設けられる。なお、各室内側突起１８は保持具１０ａ、１０ｂと一体に形成されるものであってもよいし、保持具１０ａ、１０ｂとは別体で保持具１０ａ、１０ｂに取り付けられるものであってもよい。
【００４４】
各室内側突起１８の先端は内装パネル２の対応する側縁の下面、詳しくは保持部９の下面に点接触するものであり、すなわち、本実施形態では各室内側突起１８が内装パネル２を点接触で支持する点支持部１６を構成している。
【００４５】
各保持具１０ａ、１０ｂは第一実施形態と同様に天井面３に取り付けられ、これにより内装パネル２は図３に示すように前記各保持具１０ａ、１０ｂの下横片部１３に設けられた各室内側突起１８と天井面３とで上下方向に挟持された取付状態となる。
【００４６】
以上説明した本実施形態の内装パネル装置１は、複数の室外側突起１４を天井面３に点接触させると共に複数の室内側突起１８を内装パネル２の下面に点接触させた状態で、内装パネル２をブラケット４にて保持することができる。
【００４７】
また、本実施形態の内装パネル２も硬質の室外側突起１４を介して天井面３に当接させると共に、硬質の室内側突起１８を介して保持具１０ａ、１０ｂに当接させることができ、内装パネル２を強固に固定できる。
【００４８】
ここで、前記内装パネル２の各保持部９の下面は平坦な面であってもよいが、各保持部９の下面には各室内側突起１８の先端部が嵌まり込む凹部（図示せず）を設けることが好ましい。これら凹部に対応する室内側突起１８の先端部を嵌め込むことで、内装パネル２を各保持具１０ａ、１０ｂに対して水平方向に正確に位置決めして取り付けることができ、また、内装パネル２を各保持具１０ａ、１０ｂに対してより強固に固定することができる。
【００４９】
なお、本実施形態及び第一実施形態では、ブラケット４の二本の保持具１０ａ、１０ｂを用いて矩形状の内装パネル２の対向する二辺のみを保持するようにしたが、前記同様に内装パネル２を点接触で支持する保持具を四本用いて、内装パネル２の四辺を保持する等してもよい。
【００５０】
また、本実施形態の室内側突起１８は硬質樹脂等のその他の硬質材料で形成されるものであってもよい。また、室内側突起１８は円錐形状に限られず、先端が点接触するものであれば角錘状等の先細形状のものやピン状等であってもかまわない。
【００５１】
（第三実施形態）
図６及び図７に請求項１及び請求項４に対応する第三実施形態を示す。なお、以下の本実施形態の説明では第二実施形態と同一の構成については同一の番号を付与し、重複する説明は省略する。
【００５２】
本第三実施形態では、内装パネル２を点接触で支持する点支持部１６として、ブラケット４に内装パネル２の表面（下面）に点接触する室内側突起１８と内装パネル２の裏面（上面）に点接触する室外側突起２１が設けられている。
【００５３】
ブラケット４は、天井面３に取り付けられるベースプレート２２と、ベースプレート２２の室内側の面の左右両側に取り付けられる保持具２３ａ、２３ｂとで構成されている。
【００５４】
ベースプレート２２は左右両側の縁部２４がこの間の中央部２５よりも一段下方に配置された断面略ハット状に形成されており、その下面には前記中央部２５を底部とする下方に開口する凹所２６が形成されている。
【００５５】
ベースプレート２２は中央部２５の上面を天井面３に当接した状態で接着やねじ止め等により天井に取り付けられる。
【００５６】
ベースプレート２２の中央部２５の下面には室外側突起２１が複数設けられている。各室外側突起２１は室内側の先端が尖った円錐状の金属部材あるいは硬質樹脂からなり、例えば中央部２５の下面の全体に亘って多数設けられる。なお、各室外側突起２１はベースプレート２２と一体に形成されるものであってもよいし、ベースプレート２２とは別体でベースプレート２２に取り付けられるものであってもよい。
【００５７】
内装パネル２はブラケット４を介して天井面３に取り付けられる。内装パネル２の上面はフラットな面であり、第二実施形態の室外側突起１４は設けられていない。
【００５８】
内装パネル２は上部が凹所２６に収納される。内装パネル２の上面、すなわち基体６の上面には各室外側突起２１の先端が点接触する。すなわち、本実施形態では各室外側突起２１も内装パネル２を点接触で支持する点支持部１６を構成している。
【００５９】
保持具２３ａ、２３ｂは第二実施形態の保持具１０ａ、１０ｂと略同様の構成を有するものである。したがって、以下では同一の構成については説明を省略し、異なる点のみ説明する。
【００６０】
各保持具２３ａ、２３ｂの上横片部１２はベースプレート２２の対応する縁部２４にねじ等の固着具２７を用いて取り付けられる。
【００６１】
なお、内装パネル装置１を天井面３に施工するには、まずベースプレート２２を天井面３に取り付け、この後、内装パネル２をベースプレート２２の中央部２５の下面に沿って配置した後に両保持具１０ａ、１０ｂをベースプレート２２に固着し、これによって図６のように両保持具１０ａ、１０ｂとベースプレート２２との間に内装パネル２を挟持した取付状態とする。
【００６２】
以上説明した本実施形態の内装パネル装置１は、複数の室外側突起２１を内装パネル２の上面に点接触させると共に、複数の室内側突起１８を内装パネル２の下面に点接触させた状態で、内装パネル２をブラケット４にて保持することができる。
【００６３】
また、本実施形態の内装パネル２も、硬質の室外側突起２１を介してベースプレート２２に当接させると共に硬質の室内側突起１８を介して保持具１０ａ、１０ｂに当接させて強固に固定することができる。
【００６４】
ここで、前記内装パネル２の基体６の上面は平坦な面であってもよいが、同面には各室外側突起２１の先端部が嵌まり込む凹部（図示せず）を設けることが好ましい。これら凹部に対応する室外側突起２１の先端部を嵌め込むことで、内装パネル２をベースプレート２２に対して水平方向に正確に位置決めして取り付けることができ、また、内装パネル２をベースプレート２２に対してより強固に固定することができる。
【００６５】
なお、本実施形態では、ブラケット４の二本の保持具２３ａ、２３ｂを用いて矩形状の内装パネル２の対向する二辺のみを保持するようにしたが、前記同様に内装パネル２を点接触で支持する保持具を四本用いて、内装パネル２の四辺を保持する等してもよい。
【００６６】
また、前記室外側突起２１は円錐形状に限られず、先端が点接触するものであれば角錘状等の先細形状のものやピン状等であってもかまわない。
【００６７】
また、第一〜第三実施形態では、内装パネル２の表面の一部を化粧面としたが、表面の全部が化粧面であっても構わない。また、内装パネル２を天井面３に取り付けて天井の一部を構成するものとしたが、内装パネル２は天井下地に取り付けられるものであってもよい。さらに、内装パネル２は床や壁の一部を構成するものであってもよく、この場合も床面や壁面に取り付けられるものであってもよいし、また、床下地や壁下地に取り付けられるものであってもよい。
【符号の説明】
【００６８】
１  内装パネル装置
２  内装パネル
４  ブラケット
１４  室外側突起
１５  室内側突起
１６  点支持部
１８  室内側突起
２１  室外側突起
【図１】
2010232916.tif 000003
【図２】
2010232916.tif 000004
【図３】
2010232916.tif 000005
【図４】
2010232916.tif 000006
【図５】
2010232916.tif 000007
【図６】
2010232916.tif 000008
【図７】
2010232916.tif 000009